(57)【要約】      （修正有）【課題】必要によって明るいとか暗い音に変更することができる音色調節機能を持つ管楽器用リード固定装置を提供する。【解決手段】マウスピース２００上に長手方向に位置し通孔が形成されたプラー２１を持つプラー手段２０と、プラー２１の一側から一方向に螺旋状に複数の通孔を通過してリード１００とマウスピース２００を複数回巻き、プラー２１の両端部側に形成された第一通孔２２ａと最後通孔２２ｂにそれぞれ固定されるコード１０と、プラー手段２０の一側に締結されてリード１００をマウスピース２００に固定する固定手段３０と、複数回巻かれたコード１０に密着接触した状態でリード１００を基準に対向するように設置され、リード１００との間隔調節によって音の明暗程度を調節する一対の音調節部材４０を含む。【選択図】図１
2015045865.tif 000002
【特許請求の範囲】
【請求項１】
管楽器に備えられるマウスピースの下部にリードを固定するための管楽器用リード固定装置において、
前記マウスピース上に長手方向に位置し、前記マウスピースの長手方向に複数の通孔が形成されたプラーを持つプラー手段と；
ワイヤ状に構成され、前記プラーの一側から一方向に螺旋状に前記複数の通孔を通過して前記リードと前記マウスピースを複数回巻き、前記プラーの両端部側にそれぞれ形成された第一通孔と最後通孔にそれぞれ固定されるコードと；
前記プラー手段の一側に締結されて前記リードを前記マウスピースに固定する固定手段と；
前記複数回巻かれたコードにそれぞれ密着接触した状態で前記リードを基準に対向するようにそれぞれ設置され、前記リードとの間隔調節によって音の明暗程度を調節する一対の音調節部材とを含み、
前記一対の音調節部材は四角形に構成され、前記複数回巻かれたコードがそれぞれ密着接触する複数の貫通孔を一側にそれぞれ備え、前記複数の貫通孔は同一形態及び同一表面積と前記音調節部材の他側面までの同一距離をそれぞれ持つことを特徴とする、管楽器用リード固定装置。
【請求項２】
管楽器に備えられるマウスピースの下部にリードを固定するための管楽器用リード固定装置において、
前記マウスピース上に長手方向に位置し、前記マウスピースの長手方向に複数の通孔が形成されたプラーを持つプラー手段と；
ワイヤ状に構成され、前記プラーの中央部位を基準に両方向に螺旋状に前記複数の通孔を通過して前記リードと前記マウスピースを複数回巻き、前記プラーの両端部側にそれぞれ形成された第一通孔と最後通孔にそれぞれ固定されるコードと；
前記プラー手段の一側に締結されて前記リードを前記マウスピースに固定する固定手段と；
前記複数回巻かれたコードにそれぞれ密着接触した状態で前記リードを基準に対向するようにそれぞれ設置され、前記リードとの間隔調節によって音の明暗程度を調節する一対の音調節部材とを含み、
前記一対の音調節部材は四角形に構成され、前記複数回巻かれたコードがそれぞれ密着接触する複数の貫通孔を一側にそれぞれ備え、前記複数の貫通孔は同一形態及び同一表面積と前記音調節部材の他側面までの同一距離をそれぞれ持つことを特徴とする、管楽器用リード固定装置。
【請求項３】
前記プラー手段は前記第一通孔及び前記最後通孔とそれぞれ連通するように直交方向にそれぞれ形成されて内周面にネジ部が形成された一対の締結孔と、前記一対の締結孔にそれぞれ螺合して前記コードを押圧して固定する一対の押圧具とをさらに含むことを特徴とする、請求項１または２に記載の管楽器用リード固定装置。
【請求項４】
前記プラー手段は、前記プラーの上部方向に延設され、外周面にネジ部が形成されたガイドバーをさらに含み、
前記固定手段は、前記ガイドバーに結合されるブリッジと、前記ブリッジの上部に位置し、前記ガイドバーに螺合する押圧レバーとを含み、
前記ブリッジは中央に下方に陷沒した結合凹部を備え、
前記押圧レバーは下方に突出して前記結合凹部に結合される結合突部を備え、
前記結合突部及び前記結合凹部は球状または半球状を成すことを特徴とする、請求項１または２に記載の管楽器用リード固定装置。
【請求項５】
前記コードとは太さの違う色々の太さの複数のコードと、前記色々の太さのコードに対応する複数の通孔をそれぞれ持つ複数のプラー手段とをさらに備え、演奏者の個人的な性向や楽器の種類に合うコードとそれに対応するプラー手段に取り替えて使用することができることを特徴とする、請求項１または２に記載の管楽器用リード固定装置。
【請求項６】
前記コードはＫｅｖｌａｒ素材からなることを特徴とする、請求項１または２に記載の管楽器用リード固定装置。
【請求項７】
前記コードの両端部の中で少なくとも一端部に結合されてその端部を前記第一通孔または前記最後通孔に締まりばめして固定するための少なくとも一つのスリーブをさらに含むことを特徴とする、請求項１または２に記載の管楽器用リード固定装置。
【請求項８】
前記プラーは両端部がそれぞれ上下方向に分岐される一対の調節板を備え、前記一対の調節板の間には離隔空間が形成されることにより、前記第一通孔と前記最後通孔がそれぞれ外部に開放し、
前記プラー手段は前記プラーの上部両側に位置し、回転によって前記一対の調節板の間を押圧または押圧解除する一対の調節具をさらに含むことを特徴とする、請求項１または２に記載の管楽器用リード固定装置。
【請求項９】
前記複数の通孔は底面を成す下面に曲面状に突出する突出部を備え、
前記突出部から前記通孔の天井を成す上面までの高さは、前記コードの直径と同一であるかあるいは前記コードの直径より大きく形成されることを特徴とする、請求項１または２に記載の管楽器用リード固定装置。
【請求項１０】
前記マウスピースのサイズによって前記コードの長さを調節するように、前記コードの両端部の中で少なくとも一端部に固定され、その端部を前記第一通孔または前記最後通孔にかけて固定するための少なくとも一つの固定部材をさらに含むことを特徴とする、請求項１または２に記載の管楽器用リード固定装置。
【請求項１１】
前記複数回巻かれたコードにそれぞれ密着接触した状態で前記リードを基準に対向するようにそれぞれ設置され、前記リードとの間隔調節によって音の明暗程度を調節する一対以上の音調節部材をさらに含むことを特徴とする、請求項１または２に記載の管楽器用リード固定装置。
【発明の詳細な説明】
【技術分野】
【０００１】
本発明は管楽器用リード固定装置に係り、より詳しくはサクソフォンやクラリネットなどの管楽器のマウスピースにリードを固定するための管楽器用リード固定装置に関するものである。
【背景技術】
【０００２】
一般に、リード（ｒｅｅｄ）はサクソフォンやクラリネットなどの管楽器のマウスピースに結合され、振動によって楽器の音を出す発音体の役目をする。このようなリードは、厚さ、素材などによって種類が非常に多く、表現可能な音色も多様であって、クラシック、ジャズ、ポップなどの演奏曲によってそれぞれ異なる種類のリードが使われている。
【０００３】
一方、演奏者は個人の趣向や演奏曲の特性によって明るいとか暗い音を要する。この際、演奏者は一般的に暗い音を形成する厚いリードまたは明るい音を形成する薄いリードに取り替えて用いている。しかし、このようにリードを取り替えて用いても該当の演奏者が所望の音色を選択して用いることができなく、ただリードの厚さによって決まる音色で演奏するしかない。
【０００４】
また、現存のマウスピースはそのサイズが非常に多様である。ところが、マウスピースにリードを固定するのに用いられるリガチャー（ＬＩＧＡＴＵＲＥ）のコード（ワイヤ）は特定のマウスピースに適した長さを持つように構成されて販売されている。このように、現在販売されるリガチャーはコードの長さが制限されているため、使用可能なマウスピースの種類が非常に限定的である。
【０００５】
さらに、現存のマウスピースは多様な角度に構成されている。よって、多様な角度のマウスピースにリードを正確な位置及び状態で固定することができる構造を持つリガチャーが必要である。
【０００６】
一方、特許文献１には、管楽器のマウスピースにリードを固定するための木管楽器用リガチャー（ＬＩＧＡＴＵＲＥ  ＷＯＯＤＷＩＮＤ  ＩＮＳＴＲＵＭＥＮＴＳ）について開示されている。すなわち、マウスピースとリードをコードで巻いて固定する木管楽器用リガチャー（ＬＩＧＡＴＵＲＥ  ＷＯＯＤＷＩＮＤ  ＩＮＳＴＲＵＭＥＮＴＳ）について開示されている。
【０００７】
ところが、前記技術には必要によって明るい音または暗い音に変更することができる音色調節機能が全くない。また、前記技術にはマウスピースのサイズによってコードの長さを調節することができる別途の機能が全くなくて使用可能なマウスピースの種類が非常に限定的な欠点がある。また、前記技術には多様な角度のマウスピースにリードを正確な位置及び状態で固定するための別途の位置調節構造を備えることができないので、角度の大きなマウスピースを用いる場合、リガチャーがリードを不正確な位置及び状態で固定することによって演奏に不便さをもたらす問題点がある。
【先行技術文献】
【特許文献】
【０００８】
【特許文献１】米国特許第５，６４８，６２３号明細書
【発明の概要】
【発明が解決しようとする課題】
【０００９】
本発明は前述した問題点を解決するためになされたもので、必要によって明るいとか暗い音に変更することができる音色調節機能を持つ管楽器用リード固定装置を提供することにその目的がある。
【００１０】
また、本発明は、マウスピースのサイズによってコードの長さを便利に調節することができるように構成して多様な種類のマウスピースに使うことができる管楽器用リード固定装置を提供することに他の目的がある。
【００１１】
また、本発明は、個々のマウスピースの角度に関係なく微細角度調節によってプラーをマウスピースの表面に対して垂直状態に正確な位置及び状態で固定することができる管楽器用リード固定装置を提供することにさらに他の目的がある。
【課題を解決するための手段】
【００１２】
前述した目的を達成するための本発明は、管楽器に備えられるマウスピースの下部にリードを固定するための管楽器用リード固定装置において、前記マウスピース上に長手方向に位置し、前記マウスピースの長手方向に複数の通孔が形成されたプラーを持つプラー手段と；ワイヤ状に構成され、前記プラーの一側から一方向に螺旋状に前記複数の通孔を通過して前記リードと前記マウスピースを複数回巻き、前記プラーの両端部側にそれぞれ形成された第一通孔と最後通孔にそれぞれ固定されるコードと；前記プラー手段の一側に締結されて前記リードを前記マウスピースに固定する固定手段と；前記複数回巻かれたコードにそれぞれ密着接触した状態で前記リードを基準に対向するようにそれぞれ設置され、前記リードとの間隔調節によって音の明暗程度を調節する一対の音調節部材とを含み、前記一対の音調節部材は四角形に構成され、前記複数回巻かれたコードがそれぞれ密着接触する複数の貫通孔を一側にそれぞれ備え、前記複数の貫通孔は同一形態及び同一表面積と前記音調節部材の他側面までの同一距離をそれぞれ持つことを特徴とする。
【００１３】
また、前述した目的を達成するための本発明は、管楽器に備えられるマウスピースの下部にリードを固定するための管楽器用リード固定装置において、前記マウスピース上に長手方向に位置し、前記マウスピースの長手方向に複数の通孔が形成されたプラーを持つプラー手段と；ワイヤ状に構成され、前記プラーの中央部位を基準に両方向に螺旋状に前記複数の通孔を通過して前記リードと前記マウスピースを複数回巻き、前記プラーの両端部側にそれぞれ形成された第一通孔と最後通孔にそれぞれ固定されるコードと；前記プラー手段の一側に締結されて前記リードを前記マウスピースに固定する固定手段と；前記複数回巻かれたコードにそれぞれ密着接触した状態で前記リードを基準に対向するようにそれぞれ設置され、前記リードとの間隔調節によって音の明暗程度を調節する一対の音調節部材とを含み、前記一対の音調節部材は四角形に構成され、前記複数回巻かれたコードがそれぞれ密着接触する複数の貫通孔を一側にそれぞれ備え、前記複数の貫通孔は同一形態及び同一表面積と前記音調節部材の他側面までの同一距離をそれぞれ持つことを特徴とする。
【００１４】
本発明によれば、前記プラー手段は前記第一通孔及び前記最後通孔とそれぞれ連通するように直交方向にそれぞれ形成されて内周面にネジ部が形成された一対の締結孔と、前記一対の締結孔にそれぞれ螺合して前記コードを押圧して固定する一対の押圧具とをさらに含むことができる。
【００１５】
本発明によれば、前記プラー手段は、前記プラーの上部方向に延設され、外周面にネジ部が形成されたガイドバーをさらに含むことができ、前記固定手段は、前記ガイドバーに結合されるブリッジと、前記ブリッジの上部に位置し、前記ガイドバーに螺合する押圧レバーとを含むことができ、前記ブリッジは中央に下方に陷沒した結合凹部を備えることができ、前記押圧レバーは下方に突出して前記結合凹部に結合される結合突部を備えることができ、前記結合突部及び前記結合凹部は球状または半球状を成すことができる。
【００１６】
本発明によれば、前記コードとは太さの違う色々の太さの複数のコードと、前記色々の太さのコードに対応する複数の通孔をそれぞれ持つ複数のプラー手段とをさらに備え、演奏者の個人的な性向や楽器の種類に合うコードとそれに対応するプラー手段に取り替えて使用することができる。
【００１７】
本発明によれば、前記コードはＫｅｖｌａｒ素材からなることができる。
本発明によれば、前記コードの両端部の中で少なくとも一端部に結合されてその端部を前記第一通孔または前記最後通孔に締まりばめして固定するための少なくとも一つのスリーブをさらに含むことができる。
【００１８】
本発明によれば、前記プラーは両端部がそれぞれ上下方向に分岐される一対の調節板を備え、前記一対の調節板の間には離隔空間が形成されることにより、前記第一通孔と前記最後通孔が外部とそれぞれ連通することができ、前記プラー手段は前記プラーの上部両側に位置し、回転によって前記一対の調節板の間を押圧または押圧解除する一対の調節具をさらに含むことができる。
【００１９】
本発明によれば、前記複数の通孔は底面を成す下面に曲面状に突出する突出部を備えることができ、前記突出部から前記通孔の天井を成す上面までの高さは、前記コードの直径と同一であるかあるいは前記コードの直径より大きく形成されることができる。
【００２０】
本発明によれば、前記マウスピースのサイズによって前記コードの長さを調節するように、前記コードの両端部の中で少なくとも一端部に固定され、その端部を前記第一通孔または前記最後通孔にかけて固定するための少なくとも一つの固定部材をさらに含むことができる。
【００２１】
本発明によれば、前記複数回巻かれたコードにそれぞれ密着接触した状態で前記リードを基準に対向するようにそれぞれ設置され、前記リードとの間隔調節によって音の明暗程度を調節する一対以上の音調節部材をさらに含むことができる。
【発明の効果】
【００２２】
本発明は、音調節部材によって、リードの交換なしに必要によって明るいとか暗い音に便利に変更して用いることができる利点がある。すなわち、本発明は、音調節部材の位置を任意に変更して所望の正確な音色を得ることができる。
【００２３】
また、本発明は、コードの両端部を便利に固定するとか解除するように構成することによって、マウスピースのサイズによってコードの長さを便利に調節することができて多種のマウスピースに使うことができる利点がある。
【００２４】
また、本発明は、個々のマウスピースの角度に関係なく、微細角度調節によってプラーをマウスピースの表面に対して垂直状態に正確な位置及び状態で固定することができて演奏者が最適の環境で演奏することができるようにする利点がある。
【図面の簡単な説明】
【００２５】
【図１】本発明の第１実施例による管楽器用リード固定装置を示した分解斜視図である。
【図２】マウスピースにリードを固定した状態の使用状態図である。
【図３】図１に示した管楽器用リード固定装置のプラーを示した横断面図である。
【図４Ａ】図１に示した管楽器用リード固定装置のプラー手段の他の例を示した縦断面図である。
【図４Ｂ】図１に示した管楽器用リード固定装置のプラー手段の他の例を示した縦断面図である。
【図４Ｃ】プラー手段に固定されるスリーブを示した部分縦断面図である。
【図４Ｄ】図１に示した管楽器用リード固定装置を構成する固定部材の分解縦断面図である。
【図４Ｅ】図４Ｄの固定部材及び他の固定部材がプラーに固定された状態を示した部分縦断面図である。
【図４Ｆ】図４Ｄの固定部材及び他の固定部材がプラーに固定された状態を示した部分縦断面図である。
【図４Ｇ】図４Ｄの固定部材及び他の固定部材がプラーに固定された状態を示した部分縦断面図である。
【図４Ｈ】図４Ｄの固定部材及び他の固定部材がプラーに固定された状態を示した部分縦断面図である。
【図４Ｉ】図４Ｄの固定部材及び他の固定部材がプラーに固定された状態を示した部分縦断面図である。
【図５】図１に示した管楽器用リード固定装置においてコードが螺旋状に通孔を通過する状態を示した部分縦断面図である。
【図６Ａ】図１に示した管楽器用リード固定装置において一対の音調節部材を用いた振動吸収の概念を示した概念図である。
【図６Ｂ】図１に示した管楽器用リード固定装置において一対の音調節部材を用いた振動吸収の概念を示した概念図である。
【図６Ｃ】図１に示した管楽器用リード固定装置において一対の音調節部材を用いた振動吸収の概念を示した概念図である。
【図７】本発明による管楽器用リード固定装置を用いて実験した音の周波数変動グラフである。
【図８】本発明による管楽器用リード固定装置を用いて実験した音の周波数変動グラフである。
【図９】図１に示した管楽器用リード固定装置のブリッジを示した平面図である。
【図１０】図１に示した管楽器用リード固定装置の固定手段を示した分解図である。
【図１１】図１０の結合状態の使用状態図である。
【図１２】本発明の第２実施例による管楽器用リード固定装置を示した分解斜視図である。
【図１３】マウスピースにリードを固定した状態の使用状態図である。
【発明を実施するための形態】
【００２６】
以下、添付図面によって本発明の好適な実施例をより詳細に説明する。
（第１実施例）
図１〜図１１に示したように、本発明は管楽器に備えられるマウスピースの下部にリードを固定するための管楽器用リード固定装置１に関するものである。本発明の第１実施例による管楽器用リード固定装置１は、リード１００及びマウスピース２００を巻くコード１０と、マウスピース２００の上側に位置し、コード１０が一方向に螺旋状に複数貫通するプラー手段２０と、プラー手段２０に締結されてリード１００をマウスピース２００に固定する固定手段３０とを含む。ここで、管楽器はサクソフォンやクラリネットなどの器具に理解されることが好ましく、リード１００は公知の一般的な形態に構成されるので、これについての具体的な説明は省略する。
【００２７】
コード１０は両端部を持ち、両端部の方向に伸び、縦断面が円形を成すワイヤに理解できる。ここで、コード１０はＫｅｖｌａｒ材を用いることが好ましい。
一方、本発明者はコード１０の太さによって楽器の音が明るくなるとか暗くなる現象を多くのプロ演奏者と一緒にテストを行って検証したことがある。すなわち、本発明は、コード１０の太さを変更することによって音色を変化させることができる。具体的に説明すれば、コードの太さによるコードの全断面がリードの振動幅を制限するとともにコードとリードが接触する面積を決定することになる。よって、コードの太さを変更することにより、リードの振動幅と振動吸収面積を変更することができる。その結果、太いコードの場合はリードの振動幅が小さくて振動吸収面積が広くて暗い音を出し、細いコードの場合はリードの振動幅が大きくて振動吸収面積が小さくて明るい音を出すことになる。よって、本発明は、コード１０の太さ調節によって演奏者の個人的な性向に合う明るい音または暗い音を提供することができる利点がある。このように、コード１０の太さを調節しようとする場合には、その太さに合う複数の通孔２２が形成されたプラー２１を持つプラー手段２０を用いれば良い。
【００２８】
したがって、本発明の管楽器用リード固定装置１は、多様な太さの複数のコードとそれに合う複数のプラー手段を別に備えることにより、演奏者の個人的な性向や楽器の種類に合うコード及びそれに適合したプラー手段に取り替えて使うことができる。
【００２９】
プラー手段２０は、両端部がマウスピース２００の長手方向に延設され、その長手方向と交差する方向に複数の通孔２２が形成されるプラー２１を含む。ここで、プラー２１はマウスピース２００に装着された状態で両端部の中で他端部が管楽器に向かい、一端部が反対方向に伸びるものに理解することが好ましい。
【００３０】
プラー２１は上下面及び両側面を持ち、その下面はマウスピース２００の上部に装着されて接する。そして、複数の通孔２２はプラー２１の両側面まで形成される。また、複数の通孔２２はそれぞれプラー２１の両側面を貫くので、そのプラー２１の両側面にはそれぞれ通孔２２の両端部が位置するものに理解できる。
【００３１】
コード１０は他端部が垂直、つまり縦方向に左回りまたは右回りしながらプラー２１の一端部から他端部側に前進する。その前進によってコード１０の他端部が複数の通孔２２を順次に通過しながらマウスピース２００とリード１０を螺旋状に巻く。すなわち、コード１０は他端部が複数の通孔２２の中でプラー２１の一端部側に位置する第一通孔２２ａからリード１００の長手方向と交差する縦方向に左回りまたは右回りしながらマウスピース２００及びリード１００を同時に巻き、そのプラー２１の他端部側に位置する最後通孔２２ｂに順次に挿入される。
【００３２】
そして、コード１０はその両端部がそれぞれ第一通孔２２ａと最後通孔２２ｂにそれぞれ固定される。例えば、図３に示したように、コード１０の両端部が通孔２２ａ、２２ｂの外側に位置する状態で熱融合などによってその通孔２２ａ、２２ｂを通過することができないようにすることによって固定できる。この際、第一通孔２２ａと最後通孔２２ｂはそれぞれコード１０の両端部がかかるように一側と他側の直径が互いに異なるように形成されることが好ましい。ここで、第一通孔２２ａと最後通孔２２ｂはプラー２０の中央部を長手方向に通過する仮想の中心線（Ａ）を基準に互いに正反対に形成されるものに理解されなければならない。
【００３３】
一方、プラー２１は、図４Ａに示したように、両端部がそれぞれ上下方向に分岐する一対の調節板２３を備え、その一対の調節板２３の間に離隔空間２４が形成されることにより第一通孔２２ａと最後通孔２２ｂがそれぞれ外部に開放することができる。
【００３４】
そして、プラー手段２０は一対の調節板２３を押圧するとか押圧解除するための一対の調節具２５をさらに含むことができる。ここで、一対の調節具２５は一般的な形態のボルトなどからなることができ、プラー２１の両端部上側にそれぞれ上下方向に結合される。一方、一対の調節板２３には調節具２５が螺合することができるように内周面にネジ部が形成された締結孔２３ａが形成される。よって、調節具２５は回転によって一対の調節板２３に螺合して一対の調節板２３の間隔を調節する。その調節によってコード１０の両端部は押圧されて締め付けられるとか押圧解除されて緩くなる。
【００３５】
したがって、この実施例の管楽器用リード固定装置１を使う使用者は、マウスピース２００のサイズなどによって調節具２５を調節してコード１０の長さを可変的に調整しながら多様なマウスピースに合わせて使うことができる。例えば、マウスピース２００のサイズが大きければ、調節具２５の調節によって第一通孔２２ａ及び最後通孔２２ｂから外側に露出されるコード１０の両端部の長さが短くなる。これと反対に、マウスピース２００のサイズが小さければ、調節具２５の調節によって第一通孔２２ａ及び最後通孔２２ｂから外部に露出されるコード１０の両端部の長さが長くなる。
【００３６】
一方、プラー２１は、図４Ａのように、一対の調節板２３及び一対の調節具２５を用いて第一通孔２２ａ及び最後通孔２２ｂを変形させることにより、通孔２２ａ、２２ｂ内にコードを固定する代わりに、図４Ｂに示したように、第一通孔２２ａ及び最後通孔２２ｂとそれぞれ連通するように直交方向に形成され、内周面にネジ部が形成された一対の締結孔２３ｂと、一対の締結孔２３ｂにそれぞれ螺合してコード１０を押圧して固定する一対の押圧具２５ａとによって通孔２２ａ、２２ｂ内にコードを固定するように構成してもよい。
【００３７】
この実施例の管楽器用リード固定装置１は、図４Ｃに示したように、コード１０の両端部の中で少なくとも一端部を第一通孔２２ａまたは最後通孔２２ｂに締まりばめして固定するためのスリーブ５０をさらに含むことができる。スリーブ５０は両端部が互いに離隔してその間に流動空間５１を形成する円錐状を成す。ここで、流動空間５１はスリーブ５０が第一通孔２２ａまたは最後通孔２２ｂに差し込まれて結合しながら縮まるものに理解されなければならない。
【００３８】
コード１０の両端部の中で少なくとも一端部はスリーブ５０の内側に結合した状態で第一通孔２２ａまたは最後通孔２２ｂに締まりばめされて固定される。これにより、コード１０はマウスピース２００のサイズなどによってスリーブ５０を第一通孔２２ａまたは最後通孔２２ｂから引き出すことで、外部に突出する端部の長さを可変的に調節することができる。
【００３９】
一方、管楽器用リード固定装置１は、図４Ｄ及び図４Ｅに示したように、コード１０の両端部の中で少なくとも一端部に固定され、その端部を第一通孔２２ａまたは最後通孔２２ｂにかけて固定するための少なくとも一つの固定部材６０をさらに含むことができる。
【００４０】
固定部材６０は、一側外面にネジ部を持つ中空スクリュー６１と、中空スクリュー６１のネジ部に結合されるキャップ６５とからなる。中空スクリュー６１は、第一通孔２２ａまたは最後通孔２２ｂの一部分に差し込まれる挿入部６２と、第一通孔２２ａまたは最後通孔２２ｂのまわりのプラー２１の表面に密着するフランジ６３と、フランジ６３を基準に挿入部６２と対向する側に形成され、ネジ部を外面に持ち、長手方向に切開された少なくとも二つのスロットを持つ結合部６４とからなる。
【００４１】
キャップ６５は結合部６４に結合されてますます結合されることによって結合部６４をますます窄めて結合部６４の内部に挿入されたコード１０を締めて固定させる内側ネジ部を持つ。
【００４２】
一方、本発明の固定部材は、図４Ｄに示したものと同様な概念で構成するが、図４Ｆのように中空スクリューの結合部とキャップが螺合方式ではないワンタッチ係合構造に構成するとか、図４Ｇのように中空スクリューの結合部をキャップを使わないで工具で縮小させて構成するとか、図４Ｈ及び図４Ｉのようにコード１０の端部がキャップの内部に位置するように図４Ｅ及び図４Ｆの中空スクリューの結合部とキャップの形状を一部変形して構成することもできる。
【００４３】
図４Ｅ〜図４Ｉに示したように、固定部材６０がコード１０の両端部の中で少なくとも一端部に固定され、第一通孔２２ａまたは最後通孔２２ｂに固定されることにより、マウスピース２００のサイズなどによってコード１０の長さを調節した状態で切断した後、便利に仕上げ処理することができる。
【００４４】
複数の通孔２２はそれぞれコード１０が螺旋状に自然に通過することができるように誘導するとともに、その複数の通孔２２を通過するコード１０によって均等な力が伝達されるようにプラー２１の長手方向と直交しないように形成されることが好ましい。言い換えれば、複数の通孔２２は、図３に示したように、それぞれプラー２１の長手方向と直交する状態を基準にその状態からプラー２１の一端部または他端部側に傾くように形成される。これは、コード１０が螺旋状に巻かれながら自然にプラー２１の長手方向と直交する状態からそのプラー２１の一端部または他端部側に傾いた形態を成すからと理解できる。
【００４５】
複数の通孔２２はそれぞれコード１０が折曲なしに通過することができるように両端部が外側にラウンド状に形成されて曲面（Ｂ）を成すことが好ましい。この際、複数の通孔２２はそれぞれ曲面（Ｂ）を成す半径（ｒ）がコード１０が螺旋形の円を成す半径（Ｒ）より小さく形成されることが好ましい。これは実験によるもので、半径（ｒ）が半径（Ｒ）より大きく形成されれば、不均等な力の分配によってコード１０がリード１００を安定に握ることができなかった。よって、本発明は、半径（ｒ）が半径（Ｒ）より小さく形成されるとき、コード１０が力の均等な分配によってリード１００を安定に握る効果が高い。
【００４６】
一方、複数の通孔２２は、図５に示したように、それぞれ底面を成す下面に曲面状に突出する突出部２２ｃを備えることができる。この際、突出部２２ｃから通孔２２の天井を成す上面までの高さ（Ｃ）はコード１０の直径と同一であるかあるいはそれより大きく形成されることが好ましい。これは、コード１０が複数の通孔２２の各両端部を通過するときに折曲が発生しないようにして、その折曲によって緩くなる部分が発生して力の不均等な分配によってリード１００を安定に握ることができない問題点を解決するためのものに理解できる。
【００４７】
この実施例の管楽器用リード固定装置１は、図１、図２及び図６Ａ〜図６Ｃに示したように、リード１００を基準に対向するようにそれぞれ設置され、リード１００との間隔調節によるコード１０の振動吸収区間の調節によって音色を調節する一対の音調節部材４０をさらに含むことができる。この実施例のコード１０は、リード１００から出る音の振動を吸収する機能をする。一方、音色は振動を吸収するコード１０の長さによって決定される。すなわち、長い振動吸収区間を持つコード１０の場合にはリード１００から出る振動を多く吸収するが、短い振動吸収区間を持つコード１０の場合にはリード１００から出る振動を少なく吸収することになる。
【００４８】
この実施例の一対の音調節部材４０はこのような振動を吸収するコードの振動吸収区間の長さを任意に調節する役目をする。すなわち、一対の音調節部材４０をリード１００側に押し下げればリードの振動を少なく吸収し、一対の音調節部材４０をリード１００から遠く押し上げればリードの振動を多く吸収することになる。この際、一対の音調節部材４０は同一素材から一体にそれぞれ形成すれば良い。
【００４９】
例えば、図６Ｂのように、リードの振動を吸収する振動吸収区間の長さを短くする場合には、リードの両端部で発生する振動を抑制することによって音が中央に集中して明るい音を出すことになる。ところが、図６Ｃのように、リードの振動を吸収する振動吸収区間の長さを長くする場合には、リードの両端部から発生する振動が抑制されなくて音が広く拡散して暗い音を出すことになる。
【００５０】
ところが、それぞれの振動吸収区間のコードが一様に振動を吸収するためには、音調節部材４０とコード１０が接触する形態と各コードでの音調節部材４０のサイズが同一でなければならない。すなわち、各コードと合う音調節部材４０の表面積と振動吸収幅が同一でなければならない。よって、この実施例の一対の音調節部材４０は四角形に構成され、それぞれのコード１０が貫通して接触する複数の貫通孔４１を一側にそれぞれ備え、このような複数の貫通孔４１の形態及び表面積が同一であり、かつ複数の貫通孔４１から音調節部材４０の他側面までの距離に相当する振動吸収幅がそれぞれ同一であるように構成したものである。ここで、複数の貫通孔４１は一側が開口した円形を持つ。
【００５１】
一方、前記のような一対の音調節部材４０は複数の貫通孔４１によってコード１０が等間隔を維持しながら螺旋状に巻かれるようにする役目もすることができる。
一方、この実施例においては一対の音調節部材４０を用いて音色を調節する一例について説明したが、２対以上の音調節部材４０を用いて所望の音色を調節することもできる。
【００５２】
ところが、本発明の管楽器用リード固定装置１は、一対の音調節部材４０の外に、コード１０が等間隔を維持しながら螺旋状に巻かれるように支持する別途の部材をさらに備えて、それぞれの役目のみをするように構成することもできる。
【００５３】
一方、本発明者が実験した結果によれば、音調節部材４０はその貫通孔４１の表面が最小５．５ｍｍ＊３．５ｍｍの面積を持つ場合に効果があることを確認し、その直径はコードの区間を充分にカバーすることができる直径を持たなければならないので、最小２．５ｍｍに設計することが好ましいことを確認した。一方、音調節部材４０の素材としては、振動の吸収及び加工の便宜性などを考慮すると、金属素材を使うことが好ましいが、ＳＵＳまたは青銅を使っても特に差がないことを確認した。
【００５４】
図７は本発明による管楽器用リード固定装置を用いて実験し、一対の音調節部材を用いてコードの振動吸収区間の長さを調節することによる音の周波数変動を実験したグラフである。
【００５５】
この実験は次のような条件で実験したものである。
一対の音調節部材はコードと接触する貫通孔を一側に５個持つように構成し、貫通孔の表面積はおよそ２０ｍｍ２（２．５ｍｍ＊３．１４＊７０％＊３．５ｍｍ）を持つように構成した。ここで、貫通孔はそのサイズが大きければ音を調節するのに効果がもっと良いが、外観構造のため、最小面積で実験した。
【００５６】
一方、実験装置としてはｒｅｃｏｒｄｉｎｇ  ｓｔｕｄｉｏ用オシロスコープで実験し、その実験方法は同じＡ４４０でチューニングし、有効周波数範囲内の多数周波数でサンプリングして市販の他のリガチャーと比較し、かつ前記のような一対の音調節部材を設置した場合と設置しなかった場合を比較して実験した。
【００５７】
その結果、図７から分かるように、リードの振動を吸収する振動吸収区間の長さ変動（Ｌｏｗ  Ｐｏｓｉｔｉｏｎ、  Ｍｉｄｄｌｅ  Ｐｏｓｉｔｉｏｎ、  Ｈｉｇｈ  Ｐｏｓｉｔｉｏｎ）によって音色が大きく変わることが分かる。例えば、一対の音調節部材を中間以上にあげる場合、音が確実に暗くなることが分かる。
【００５８】
図８は本発明による管楽器用リード固定装置を用いて実験し、一対の音調節部材を用いてコードの振動吸収区間（ｐｏｓｉｔｉｏｎ  １、２及び３）の長さを調節することによる音の周波数変動を実験したグラフである。
【００５９】
この実験は次のような条件で実験したものである。
一対の音調節部材は図７と同様なものを用い、実験装置としては実時間音声分析が可能なモデルＰＨＭ９１９のＤＢＸ  ＲＴＡ−Ｍというマイクロホンを用い、出力された信号に対してはＴｅｘｔｒｏｎｉｘ  ＴＤＳ２００２Ｂ装備でＦＦＴ（Ｆａｓｔ  Ｆｏｕｒｉｅｒ  Ｔｒａｎｓｆｏｒｍ）ｏｐｔｉｏｎを用いて分析した。
【００６０】
この実験を進めるときに用いた共通の条件は、シルバースタイン開放Ｇバーを固定し、時間領域での一定した音量をチェックした後、ＦＦＴ記録としてキャプチャーした。ＦＦＴ記録をキャプチャーするに先立ち、音量テストを実施した。全ての場合において基本周波数は−２６ｄＢＶ±１ｄＢＶである。
【００６１】
その結果、図８から分かるように、リードの振動を吸収する振動吸収区間の長さ変動（ｐｏｓｉｔｉｏｎ  １、２及び３）によって音色が大きく変わることが分かる。それぞれの場合を詳細に説明すれば次のようである。
【００６２】
Ｐｏｓｉｔｉｏｎ  １の場合、図面から分かるように、基本周波数（基準レベルがおよそ−２７ｄＢＶ）を明らかに示し、強成分（基本周波数の−１０〜−２０ｄＢ内で変化）が第９高調波に至る。特に興味深いものは第５高調波の強度で、これは基本周波数を５ｄＢだけ超える。高調波は第１０高調波より上にも存在するがそのレベルでは相対的に聞き取れない。
【００６３】
Ｐｏｓｉｔｉｏｎ  ２に変更する場合、基準周波数（基準レベルがおよそ−２６ｄＢＶ）を明らかに示し、強成分（−１０〜−２０ｄＢ内で変化）が第９高調波に至る。やはり特に興味深いものは第５高調波の強度で、これは基本周波数を３ｄだけ超え、第３及び第４高調波よりはずっと高い。高調波は第１０高調波より上にも存在するが、この際、Ｐｏｓｉｔｉｏｎ  １の一対の音調節部材より１０ｄＢだけ高い。
【００６４】
Ｐｏｓｉｔｉｏｎ  ３に変更する場合、基本周波数（基準レベルがおよそ−２５ｄＢＶ）を明らかに示し、強成分は第８高調波に至る。また、第５高調波が支配し、これは基本周波数より３ｄＢだけ高い。また、第３及び第４高調波もかなり増加して基本周波数より（それぞれ）７ｄＢ及び３ｄＢだけ低い。高調波は依然として第９高調波より上に存在するが、そのレベルでＰｏｓｉｔｉｏｎ  ２の一対の音調節部材から得られたものよりは少し低い。
【００６５】
前記のような結果から分かるように、一対の音調節部材は演奏者が任意に必要な音色を駆使するようにする役目をする。
固定手段３０はプラー２１がマウスピース２００に安定に位置することができるようにする。このために、プラー手段２０はプラー２１の上部から上方に伸び、外周面にネジ部が形成されたガイドバー２６をさらに含む。固定手段３０は、図１及び図１０に示したように、ガイドバー２６に結合されるブリッジ３１と、ガイドバー２６と螺合し、ブリッジ３１を押圧してプラー手段２０をマウスピース２００に固定する押圧レバー３２とを含むことができる。
【００６６】
ブリッジ３１は、両端部及び両側端部を持ち、その両端部がプラー２１の長手方向に伸び、ガイドバー２６の上端部が貫通するガイド孔３３ａが形成される上板３３と、上板３３の両側端部から下方に延設され、螺旋状のコード１０が差し込まれる複数の挿入溝３５が形成される一対の測板３４とを含む。また、ブリッジ３１は、一対の測板３４及び上板３３によって両側及び上側が遮断されるとともに内側にプラー２１を収容する収容空間３６を持つ。すなわち、一対の測板３４は下部がマウスピース２００に装着され、収容空間３６にプラー２１が収容される。
【００６７】
複数の挿入溝３５は、図９に示したように、一対の測板３４に貫設され、上板３３の両端部の方向と直交する状態を基準にその状態から上板３３の一端部または他端部側に傾くように形成されることが好ましい。これは、螺旋状に巻かれるコード１０の邪魔なしにマウスピース２００に安定に装着できるようにするためのものに理解できる。
【００６８】
図１０に示したように、上板３３は中央部に下方に陷沒した結合凹部３３ｂが形成でき、その結合凹部３３ｂの中央部にはガイド孔３３ａが形成されることが好ましい。
押圧レバー３２は、内周面にネジ部が形成され、ガイドバー２６に螺合する押圧片３７と、押圧片３７の外周面から外側に延設される複数の調節バー３８と、押圧片３７の下部から下方に突出して結合凹部３３ｂに結合される結合突部３８ａとを含むことができる。
【００６９】
すなわち、押圧レバー３２は締付け回転によってガイドバー２６に沿って下降しながらブリッジ３１を押圧することにより、プラー手段２０がマウスピース２００に固定されるようにする。これとは反対に、押圧レバー３２は解除回転によってガイドバー２６に沿って上昇しながらブリッジ３１の押圧を解除することにより、プラー手段２０がマウスピース２００から自由になるようにする。
【００７０】
この際、コード１０は、図１〜図３に示したように、押圧レバー３２を締め付ける回転方向と反対にプラー手段１０に螺旋状に通過することが好ましい。すなわち、押圧レバー３２が右回りによって締め付けられれば、コード１０は左回りしながらプラー手段２０に螺旋状に通過するものに理解できる。これは、押圧レバー３２を回して締め付けるとき、ロックする方向への回転によって回転モーメントが生じてコード１０を握っているプラー手段２０が回転することができるからである。
【００７１】
本発明は、押圧レバー３２を締め付ければ、マウスピース２００の下面でコード１０と接触する摩擦部位が発生し、コード１０の両端部で回転力に対する反対方向にの抵抗が発生することにより、プラー手段１０の回転を防止することができる。
【００７２】
結合突部３８ａは球状または半球状を成し、結合凹部３３ｂはこれに対応する形状を成すことが好ましい。これは、結合突部３８ａが結合凹部３３ｂに位置したままで前、後、左、右に一定の程度に遊ぶことができるようにして他の角度でも締結が可能であり、個々のマウスピースの角度に関係なくプラー２１をマウスピース２００の表面に対して垂直に位置させるためである。一方、ガイド孔３３ａは直径がガイドバー２６の直径より大きく形成されることにより、自由に遊ぶことができることが好ましい。
【００７３】
ガイドバー２６は下部に半球状を成す接触突部２７を備え、その接触突部２７は収容空間３６に位置し、ブリッジ３１がマウスピース２００の表面状態によって位置調整できるようにする。
【００７４】
これにより、管楽器用リード固定装置１は、図１１に示したように、マウスピース２００の上表面状態やサイズなどによってブリッジ３１が一定程度遊動しながら位置調整されることにより、押圧によるブリッジ３１及びマウスピース２００の破損などを予防することができる。
（第２実施例）
図１２及び図１３に示したように、本発明の第２実施例による管楽器用リード固定装置１Ａは、リード１００及びマウスピース２００を巻くコード１０Ａと、マウスピース２００の上部に位置し、コード１０Ａがプラーの中央部位を基準に両方向に螺旋状に複数貫通するプラー手段２０Ａと、プラー手段２０Ａに締結されてリード１００をマウスピース２００に固定する固定手段３０Ａとを含む。
【００７５】
すなわち、第２実施例による管楽器用リード固定装置１Ａは、コード１０Ａがプラー手段２０Ａの中央部から両方向に螺旋状にリード１００及びマウスピース２００を巻くように構成されるもので、プラー手段２０Ａ、固定手段３０Ａ及び音調節部材４０Ａの一部形態が変形されたことを除き、第１実施例の管楽器用リード固定装置１と同様に構成される。よって、第２実施例においては具体的な構成関係についての説明を省略する。
【００７６】
以上説明したものは本発明による管楽器用リード固定装置を実施するための実施例に過ぎないもので、本発明は前記実施例に限定されなく、以下の特許請求範囲で請求するような本発明の要旨を逸脱することなしに当該発明が属する分野で通常の知識を持った者であれば誰でも多様な変更実施が可能な範囲まで本発明の技術的精神があると言える。
【産業上の利用可能性】
【００７７】
本発明は、サクソフォンやクラリネットなどの管楽器のマウスピースにリードを固定するための管楽器用リード固定装置に適用可能である。
【符号の説明】
【００７８】
１    リード固定装置
１０    コード
２０    プラー手段
２１    プラー
２２    通孔
２２ａ    第一通孔
２２ｂ    最後通孔
２２ｃ    突出部
２３    調節板
２４    離隔空間
２５    調節具
２６    ガイドバー
３０    固定手段
３１    ブリッジ
３２    押圧レバー
３３    上板
３３ａ    ガイド孔
３４    測板
３５    挿入溝
３６    収容空間
３７    押圧片
３８    調節バー
４０    音調節部材
４１    貫通孔
５０    スリーブ
１００    リード
２００    マウスピース
【図１】
2015045865.tif 000003
【図２】
2015045865.tif 000004
【図３】
2015045865.tif 000005
【図４Ａ】
2015045865.tif 000006
【図４Ｂ】
2015045865.tif 000007
【図４Ｃ】
2015045865.tif 000008
【図４Ｄ】
2015045865.tif 000009
【図４Ｅ】
2015045865.tif 000010
【図４Ｆ】
2015045865.tif 000011
【図４Ｇ】
2015045865.tif 000012
【図４Ｈ】
2015045865.tif 000013
【図４Ｉ】
2015045865.tif 000014
【図５】
2015045865.tif 000015
【図６Ａ】
2015045865.tif 000016
【図６Ｂ】
2015045865.tif 000017
【図６Ｃ】
2015045865.tif 000018
【図７】
2015045865.tif 000019
【図８】
2015045865.tif 000020
【図９】
2015045865.tif 000021
【図１０】
2015045865.tif 000022
【図１１】
2015045865.tif 000023
【図１２】
2015045865.tif 000024
【図１３】
2015045865.tif 000025